(57)【要約】      （修正有）【課題】チェーンベルトがロックの体積を圧縮できるチェーンロックを提供する。【解決手段】ロック体内部に設置されたシリンダー１１１と、ロック体側面１２２と、ロック穴１０１と、を有するロック体１００と、複数の文字列結合された第１のチェーンロッド３１０を備え、両端部に第１のチェーンベルトの第１の端部３１１と、第１のチェーンベルトの第２の端部３１２と、を有し、第１のチェーンベルトの第１の端部とロック体が結合する第１のチェーンベルト３１９と、複数の文字列結合された第２のチェーンロッド３２０を備え、両端に第２のチェーンベルトの第１の端部３２１と第２のチェーンベルトの第２の端部３２２とを有し、第２のチェーンベルトの第１の端部と第１のチェーンベルトの第２の端部は結合して、第２のチェーンベルトの第２の端部はロック穴に挿入可能で、且つシリンダーによってさらに強固にロック可能な第２のチェーンベルト３２９と、を有する。【選択図】図１Ｂ
0003225572.tif 000002
【実用新案登録請求の範囲】
【請求項１】
一種のチェーンロックであって、ロック体内部に設置されたシリンダーと、ロック体側面と、ロック穴と、を有するロック体と、複数の文字列結合された第１のチェーンロッドを備え、両端部に第１のチェーンベルトの第１の端部と、第１のチェーンベルトの第２の端部と、を有し、前記第１のチェーンベルトの第１の端部と前記ロック体が結合する第１のチェーンベルトと、複数の文字列結合された第２のチェーンロッドを備え、両端に第２のチェーンベルトの第１の端部と第２のチェーンベルトの第２の端部とを有し、前記第２のチェーンベルトの第１の端部と前記第１のチェーンベルトの第２の端部は結合して、前記第２のチェーンベルトの第２の端部は前記ロック穴に挿入可能で、且つ前記シリンダーによってさらに強固にロック可能な第２のチェーンベルトをと、を有するチェーンベルトセットと、を有し、第２のチェーンベルトの第２の端部がロックされていない時、前記第１のチェーンベルト折り畳むことで前記複数の第１のチェーンロッドを相互に重ね合わせることができ、前記第２のチェーンベルトは折り畳むことにより前記複数の第２のチェーンロッドを重ね合わせることができ、且つ折り畳んだ後の前記第１のチェーンベルトと前記第２のチェーンベルトは互いに寄せ合わせて、前記ロック体側面の外に配置することできることを特徴とする、チェーンロック。
【請求項２】
請求項１に記載のチェーンロックであって、チェーンベルト接続素子をさらに有し、前記チェーンベルト接続素子の相反する両端はそれぞれ前記第１のチェーンベルトの第２の端部及び前記第２のチェーンベルトの第１の端部と結合することを特徴とする、チェーンロック。
【請求項３】
請求項１に記載のチェーンロックであって、前記第１のチェーンベルトの第１の端部は前記ロック体の一端部に結合することと、前記ロック穴が前記ロック体のもう一端部に設置され、且つ前記ロック体側面の外に位置することを特徴とする、チェーンロック。
【請求項４】
請求項１に記載のチェーンロックであって、前記ロック体の両端部の間に軸線距離を有し、前記第１のチェーンロッドと前記第２のチェーンロッドはそれぞれ第１のチェーンロッド幅と第２のチェーンロッド幅を有し、前記幹線距離は前記第１のチェーンロッド幅と前記第２のチェーンロッド幅の総和に等しいことを特徴とする、チェーンロック。
【請求項５】
請求項１に記載のチェーンロックであって、第２のチェーンベルトの第２の端部がロックされておらず、且つ前記第１のチェーンベルトと前記第２のチェーンベルトが寄せ合わせられている時に、前記第１のチェーンロッドと前記第２のチェーンロッドはそれぞれ前記ロック体両端部を通過するように伸びる軸線と垂直であることを特徴とする、チェーンロック。
【請求項６】
一種のチェーンロックであって、前記ロック体内部に設置されたシリンダーと、ロック体側面と、ロック穴と、を有するロック体と、複数本の文字列結合されたチェーンベルトを備え、それぞれのチェーンベルトは複数の文字列結合されたチェーンロッドを有し、前記チェーンベルトセットの一端と前記ロック体が互いに結合し、前記チェーンベルトセットのもう一端は前記ロック穴に挿入可能で、且つ前記シリンダーによってさらに強固なロックが可能なチェーンベルトセットと、を有し、前記チェーンベルトセットのもう一端がロックされていない時に、それぞれのチェーンベルトは折り畳むことによってそれぞれが有する前記複数のチェーンロッドを重ね合わせることができ、且つ折り畳んだ後の隣り合う前記複数のチェーンベルトは互いに寄せ合わせて、前記ロック体側面の外に配置することできることを特徴とする、チェーンロック。
【請求項７】
請求項6に記載のチェーンロックであって、さらにチェーンベルト接続素子を少なくとも一つ有し、前記複数本のチェーンベルトは前記チェーンベルト接続素子を通して文字列結合することを特徴とする、チェーンロック。
【請求項８】
請求項6に記載のチェーンロックであって、前記ロック穴は前記ロック体の底面に設置され、前記チェーンベルトセットの一端は前記底面における前記ロック穴とは異なる位置に結合することを特徴とする、チェーンロック。
【請求項９】
請求項6に記載のチェーンロックであって、前記ロック体の両端部の間に軸線距離を有し、各チェーンベルトのチェーンロッドはそれぞれチェーンロッド幅を有し、前記幹線距離は前記複数のチェーンロッド幅の総和に等しいことを特徴とする、チェーンロック。
【請求項１０】
請求項6に記載のチェーンロックであって、前記チェーンベルトセットのもう一端がロックされておらず、且つ隣り合う前記チェーンベルトが寄せ合わせられている時に、各チェーンベルトのチェーンロッドはそれぞれ前記ロック体両端部を通過するように伸びる軸線と垂直であることを特徴とする、チェーンロック。
【考案の詳細な説明】
【技術分野】
【０００１】
本実用新案は一種のチェーンロックであって、主にロック体と、チェーンベルトと、を有するチェーンロックに関する。具体的には、一種のチェーンベルトがロック体の外側に巻き付く形で覆うことで、ロックの体積を圧縮することのできるチェーンロックに関する。
【背景技術】
【０００２】
ロックについては米国の特許文献US7,712,339において一種の主にロック体(lock body)と、複数のロッド本体の繋がりからなるチェーンベルト(joint bar hoop)と、で構成されるロックであって、使用していないときはチェーンベルトを折りたたんで寄せ合わせることにより、収納時の体積を圧縮することができるロックが開示されており、また類似するロック構造はM350495号の特許においても開示されている。
【０００３】
従来のU字型ロックは体積が大きいという欠点があるのに対し、前述のロックは確実に収納時の体積を圧縮できるという利点がある。しかしながら、現在見かけられるロックは収納時の体積を圧縮するという点においてまだ改善の余地がある他に、ロックの収納後の外観の美しさについても同時に考慮するべきである。
【考案の概要】
【０００４】
本実用新案の目的は一種のチェーンロックであって、先行技術における上記の問題を解決する為のチェーンロックを提供することである。
【０００５】
本実用新案のチェーンロックは、ロック体と、チェーンベルトセットと、を有する。ロック体は、ロック体内部に設置されたシリンダーと、ロック体側面と、ロック穴と、を有する。チェーンベルトセットは第１のチェーンベルトと、第２のチェーンベルトと、を有する。第１のチェーンベルトは複数の文字列結合された第１のチェーンロッドを備える。第１のチェーンベルトの両端に、第１のチェーンベルトの第１の端部と、第１のチェーンベルトの第２の端部と、を有し、第１のチェーンベルトの第１の端部とロック体とは結合する。第２のチェーンベルトは複数の文字列結合された第２のチェーンロッドを備える。第２のチェーンベルトの両端には第２のチェーンベルトの第１の端部と、第２のチェーンベルトの第２の端部と、を有し、第２のチェーンベルトの第１の端部と第１のチェーンベルトの第２の端部は結合し、第２のチェーンベルトの第２の端部はロック穴に挿入可能で、且つシリンダーによってさらに強固にロックをすることが可能である。第２のチェーンベルトの第２の端部がロックされていないときは、第１のチェーンベルトは折り畳んで第１のチェーンロッドを重ね合わせることができ、第２のチェーンベルトは折り畳んで第２のチェーンロッドを重ね合わせることができ、更に折り畳んだ後の第１のチェーンベルト及び第２のチェーンベルトは互いに寄せ合わせて、ロック体側面の外に配置することができる。
【０００６】
本実用新案の実施例においては、チェーンロックは更にチェーンベルト接続素子を備え、チェーンベルト接続素子の相反する両端はそれぞれ第１のチェーンベルトの第２の端部及び第２のチェーンベルトの第１の端部と結合する。
【０００７】
本実用新案の実施例においては、第１のチェーンベルトの第１の端部はロック体の一端部と結合し、ロック穴はロック体のもう一方の端部に結合し、尚且つロック体側面に位置している。
【０００８】
本実用新案の実施例においては、ロック体の両端部の間に軸線距離を有し、第１のチェーンロッドと第２のチェーンロッドはそれぞれ第１のチェーンロッド幅と第２のチェーンロッド幅を有し、軸線距離は第１のチェーンロッド幅と第２のチェーンロッド幅の総和に等しい。
【０００９】
本実用新案の実施例においては、第２のチェーンベルトの第２の端部がロックされておらず、尚且つ第１のチェーンベルトと第２のチェーンベルトが相互に寄せ合わせられている場合に、第１のチェーンロッド及び第２のチェーンロッドはそれぞれロック体の両端部を通過するように伸びる幹線に対して垂直である。
【００１０】
本実用新案の実施例においては、チェーンロックはロック体と、チェーンベルトセットと、を有す。ロック体はロック体内部に設置されたシリンダーと、ロック体側面と、ロック穴と、を有す。チェーンベルトセットは複数の文字列結合されたチェーンベルトを有し、それぞれのチェーンベルトは複数の文字列結合されたチェーンロッドを有す。チェーンベルトセットの一端とロック体は相互に繋がっており、チェーンベルトセットのもう一端はロック穴に挿入可能であり、尚且つシリンダーによってさらに強固にロックすることが可能である。チェーンベルトセットのもう一端がロックされていない場合には、それぞれのチェーンベルトは折り畳むことによりそれぞれのチェーンロッドを相互に重ね合わせることができ、尚且つ折り畳んだ後の隣り合うチェーンベルトは互いに寄せ合わせてロック体側面の外に配置することができる。
【００１１】
本実用新案の実施例においては、チェーンロックはさらにチェーンベルト接続素子を少なくとも一つ有し、チェーンベルトはチェーンベルト接続素子を通して文字列結合する。
【００１２】
本実用新案の実施例においては、ロック穴はロック体の底面に設置され、チェーンベルトセットの一端は底面におけるロック穴とは異なる位置と結合する。
【００１３】
本実用新案の実施例においては、ロック体の両端部の間には軸線距離を有し、各チェーンベルトのチェーンロッドはそれぞれチェーンロッド幅を有し、軸線距離はチェーンロッド幅の総和に等しい。
【００１４】
本実用新案の実施例においては、チェーンベルトセットのもう一端がロックされておらず、且つ隣り合うチェーンベルトが互いに寄せ合わせられている場合に、それぞれのチェーンベルトのチェーンロッドはロック体両端部を通過するように伸びる軸線に垂直である。
【００１５】
上記によれば、本実用新案におけるチェーンロックは収納体積を減らすことができ、先行技術に記載された問題を解決可能となる。
【００１６】
注意しなければならないのは、上述の一般的な記載及び以下の具体的な実施方式はあくまでも例示及び詳細な説明の為に用いられるものであり、決して本実用新案により保護される範囲を制限するものではない。
【図面の簡単な説明】
【００１７】
【図１Ａ】図1Aは本実用新案のチェーンロックのチェーンベルトをロック体に寄せ合わせた実施例の模式図である。
【図１Ｂ】1Bは本実用新案のチェーンロックのチェーンベルトをロック体に寄せ合わせた実施例の模式図である。
【図２Ａ】図2Aは本実用新案のチェーンロックのチェーンベルトを展開した実施例の模式図である。
【図２Ｂ】図2Bは本実用新案のチェーンロックのチェーンベルトを展開した実施例の模式図である。
【図３Ａ】図3Aは本実用新案のチェーンロックの第２のチェーンベルトの第２の端部をロック穴に挿入する実施例の模式図である。
【図３Ｂ】図3Bは本実用新案のチェーンロックの第２のチェーンベルトの第２の端部をロック穴に挿入する実施例の模式図である。
【図４Ａ】図4Aは本実用新案のチェーンロックの別の実施例の模式図である。
【図４Ｂ】図4Bは本実用新案のチェーンロックの別の実施例の模式図である。
【考案を実施するための形態】
【００１８】
図1A及び1Bに示す実施例においては、本実用新案のチェーンロック900はロック体100と、チェーンベルトセット300とを有す。ロック体100はその内部に設置されたシリンダー111と、ロック体側面122と、ロック穴101と、を有す。チェーンベルトセット300は第１のチェーンベルト319と、第２のチェーンベルト329と、を有す。
【００１９】
図1A及び1Bに示す実施例においては、第１のチェーンベルト319は複数の文字列結合された第１のチェーンロッド310を有す。さらに言えば、第１のチェーンロッド310はピン接合によって互いに文字列結合され、隣り合う第１のチェーンロッド310は結合部位を軸に回転可能である。第１のチェーンベルト319の両端には第１のチェーンベルトの第１の端部311と、第１のチェーンベルトの第２の端部312と、を備え、第１のチェーンベルトの第１の端部311はロック体100と互いに結合する。その中で、図1Bに示すように、ロック体側面122には接続穴103が設置され、第１のチェーンベルト第１の端部311は接続穴103に差し込んでロック体100とピン接合し、ロック体100と互いに結合された第１のチェーンロッド310はロック体100を軸として回転可能である。しかしながら他の実施例においては、ロック体側面122に接続穴103を設置せず、別途凸出部を設置して第１のチェーンベルト第１の端部311とピン接合してもよい。もしくは、ロック体100は接続穴103を設置せず、第１のチェーンベルト第１の端部311が直接ロック体100の上面又は底面とピン接合してもよい。
【００２０】
異なる角度で見ると、第１のチェーンベルトの第１の端部311はロック体100の一端部と結合し、ロック穴101はロック体100のもう一端部に設置され、且つロック体側面122の外に位置している。図1A及び1Bに示す実施例において、シリンダー111は鍵シリンダーであり、ロック体100はロック穴101側とは異なるもう一端に鍵シリンダーの鍵600を挿入する為の鍵穴102を備える。シリンダー111は鍵シリンダーに限定されず、その他のシリンダーを使用してもよい。鍵穴102はシリンダー111の端部以外の位置、例えば上面又は底面に設置されてもよい。一方で、ロック体100の上面にはスイッチ110をさらに設置して、シリンダー111の開け閉めの操作を行ってもよい。
【００２１】
図1A及び1Bに示す実施例において、第２のチェーンベルト329は複数の文字列結合された第２のチェーンロッド320を有す。さらに言えば、第２のチェーンロッド320はピン接合によって文字列結合され、隣り合う第２のチェーンロッド320は結合部位を軸に回転可能である。第２のチェーンベルト329の両端には第２のチェーンベルトの第１の端部321と、第２のチェーンベルトの第２の端部322と、を有し、第２のチェーンベルト第１の端部321と第１のチェーンベルトの第２の端部312は互いに結合し、第２のチェーンベルトの第２の端部322はロック穴101に挿入可能で、且つシリンダー111によってさらに強固にロックすることが可能である。
【００２２】
図1A及び1Bに示す実施例において、チェーンロック900はチェーンベルト接続素子333を備える。チェーンベルト接続素子333の相反する両端はそれぞれ第１のチェーンベルトの第２の端部312と第２のチェーンベルトの第１の端部321と結合される。言い換えれば、第１のチェーンベルト319と第２のチェーンベルト329の相互結合は第１のチェーンベルトの第２の端部312及び第２のチェーンベルトの第１の端部321がチェーンベルト接続素子333と結合することによって達成される。しかしながら他の実施例においては、第１のチェーンベルトの第２の端部312はチェーンベルト接続素子333を通さずに第２のチェーンベルトの第１の端部321と直接結合してもよい。
【００２３】
図1A及び1Bに示す実施例において、第２のチェーンベルトの第２の端部322がロックされていない場合に、第１のチェーンベルト319は折り畳むことで第１のチェーンロッド310を重ね合わせることができ、第２のチェーンベルト329は折り畳むことで第２のチェーンロッド320を重ね合わせることができ、尚且つ折り畳んだ後の第１のチェーンベルト319及び第２のチェーンベルト329を寄せ合わせて、ロック体側面122の外に配置することが可能である。異なる角度で見ると、第２のチェーンベルトの第２の端部322がロックされておらず、尚且つ第１のチェーンベルト319及び第２のチェーンベルト329が寄せ合わされている場合、第１のチェーンロッド310及び第２のチェーンロッド320はそれぞれロック体100の両端部を通過するように伸びる軸線401と垂直である。
【００２４】
上記によれば、本実用新案のチェーンロック900は収納時の体積を圧縮することができ、これにより先行技術で述べた問題を解決可能である。一方で、図1A及び1Bに示す実施例において、本実用新案のチェーンロック900は折り畳んだ際に長柱状であってもよい。さらに言えば、当該実施例において、ロック体100の両端部の間に軸線距離W401を有し、第１のチェーンロッド310及び第２のチェーンロッド320はそれぞれ第１のチェーンロッド幅W310と第２のチェーンロッド幅W320とを有し、軸線距離W401は第１のチェーンロッド幅W310と第２のチェーンロッド幅W320の総和に等しい。その他、チェーンベルト接続素子333の長さも第１のチェーンロッド幅W310と第２のチェーンロッド幅W320の総和に等しい。これにより、本実用新案のチェーンロック900はチェーンベルトセット300に折り畳まれた状態でロック体側面122に寄せ合わせて折り畳まれた状態の際に、全体として概ね長柱状を呈してもよく、例えば自転車の水筒ホルダーといった長めの収納空間に収納するのに便利である。さらに言えば、適切に設計、製造することで、本実用新案のチェーンロック900が折り畳まれた状態の際に、横向（チェーンベルトセット300が折り畳まれて寄せ合わされた状態における各チェーンベルトの横断面の方向）の幅と縦向き（チェーンベルトセット300が折り畳まれて寄せ合わされた状態における各チェーンベルトが伸びている方向）の高さはそれぞれよく見かけるような自転車用水筒の直径と高さに概ね等しくてもよい。このように、直接自行車の水筒ホルダーに収納可能であり、別途固定ホルダーを設置する必要がない。
【００２５】
本実用新案におけるチェーンロック900の使用方法についてさらに説明を行う。
【００２６】
図2A及び2Bに示す実施例においては、第２のチェーンロッド320と直接ロック体100に結合していない第１のチェーンロッド310は、使用者によってロック体100から引き離して、ロックしようとする物（例えば自転車のタイヤフレーム）の内部まで伸ばすことが可能である。さらに、図3A及び3Bに示す実施例において、第２のチェーンベルトの第２の端部322をロック穴101に挿入し、シリンダー111により第２のチェーンベルトの第２の端部322がロック穴101から離れるのを制限することができる。
【００２７】
さらに具体的には、第２のチェーンベルトの第２の端部322には位置決め穴323が設置され、シリンダー111は例えば鎖軸ロッド等の素子を備えてもよい。シリンダー111が開錠状態である場合、例えば使用者が鍵を使って開錠した後、又は使用者がダイヤルを回すことによりキーボックスシリンダーが開錠された後は、鎖軸ロッドはロック体100内部を移動可能である。シリンダー111が施錠？態である場合、鎖軸ロッドのロック体100内部の移動は制限される。以上のシリンダーの構造は周知でありため、ここでは記述を省略する。第２のチェーンベルトの第２の端部322をロック穴101に挿入し、シリンダー111の鎖軸ロッドが第２のチェーンベルト第２の端部322の位置決め穴323を通過することで、ロック穴101から離れるのを防ぎ、ロックの目的を達成する。しかしながら、他の実施例においては、第２のチェーンベルトの第２の端部322に位置決め穴を設置することに限定しない、環状又はフック状で鎖軸ロッドが插入するようにしてもよい。一方で、ロックを解除したい場合には、シリンダー111を開錠すれば、鎖軸ロッドの移動限制を解除でき、鎖軸ロッドは第２のチェーンベルトの第２の端部322を離れ、第２のチェーンベルトの第２の端部322はロック穴101を離れることが可能となり、ロックを解除可能となる。
【００２８】
上述の実施例において、チェーンベルトセット300は二つのチェーンベルト、つまり第１のチェーンベルト319と、第２のチェーンベルト329と、を備える。しかしながら他の実施例においては、チェーンベルトセット300は製造、設計又は使用上の必要に応じてチェーンベルトの数を増やすことができる。さらに言えば、チェーンベルトの数が多ければ展開後のチェーンベルトセットの総長は長くなり、チェーンロックは物体を比較的大きい物（例えば建築物の支柱など）に固定することが可能となる。
【００２９】
更に具体的には、図4A及び4Bに示す実施例においては、チェーンロック900はロック体100と、チェーンベルトセット300と、を有す。ロック体100はシリンダー111と、ロック体側面122と、ロック穴101と、を有す。チェーンベルトセット300は複数本の文字列結合されたチェーンベルト309を有し、それぞれのチェーンベルト309は複数の文字列結合されたチェーンロッド390を有す。チェーンベルトセット300の一端391はロック体100と結合し、チェーンベルトセット300のもう一端392はロック穴101に挿入可能であり、尚且つシリンダー111によってさらに強固なロックが可能である。チェーンベルトセット300のもう一端392がロックされていない場合、それぞれのチェーンベルト309は折り畳むことでそれぞれのチェーンロッド390を重ね合わせることが可能であり、且つ折り畳んだ後の隣り合うチェーンベルト309は寄せ合わせることができ、ロック体側面122の外に位置する。
【００３０】
図4A及4Bに示す実施例においては、チェーンロック900はさらにチェーンベルト接続素子333を少なくとも一つ有し、チェーンベルト309はチェーンベルト接続素子333を通じて文字列結合する。しかしながら他の実施例においては、チェーンベルト309は直接文字列結合してもよい。
【００３１】
図4A及び4Bに示す実施例においては、ロック穴101はロック体100の底面108に設置され、チェーンベルトセット300の一端391は底面108のロック穴101とは異なる位置にピン接合される。さらに具体的には、底面108のロック穴101とは異なる位置に窪み部104を備え、チェーンベルトセット300の一端391は窪み部104にピン接合される。
【００３２】
図4Aに示す実施例において、ロック体100の両端部の間に軸線距離W401を有し、各チェーンベルト309のチェーンロッド390はそれぞれのチェーンロッド幅W390を有し、軸線距離W401はチェーンロッド幅W390の総和に等しい。この他に、チェーンベルト接続素子333の長さは隣り合うチェーンベルトのチェーンロッド幅W390の総和と等しいことが望ましい。異なる角度で見ると、チェーンベルトセット300のもう一端392がロックされておらず、尚且つ隣り合うチェーンベルト309が互いに寄せ合わされている場合には、それぞれのチェーンベルト309のチェーンロッド390はロック体100の両端部を通過するように伸びる軸線401と垂直である。
【００３３】
上記の記載及び図面は既に本実用新案の好適な実施例を開示したが、各種の追加、多くの変更及び置換が、添付される実用新案請求の範囲により限定される本実用新案の原理の要旨及び範囲を逸脱しない範囲で、本実用新案の好適な実施例に使用可能であることを理解しなければならない。本実用新案の属する技術分野に詳しい一般的な技術者は、本実用新案が多くの形式、構造、配置、割合、材料、素子及び部材の変更に使用可能であることを理解できる。したがって、本願のここで開示されている実施例は、本実用新案を制限するためのものではなく、本実用新案を説明するためのものと見なされるべきである。本実用新案の範囲は、添付される実用新案請求の範囲により限定されるべきであり、かつ、その合法的な均等物を含み、上記の記載に限定されない。
【符号の説明】
【００３４】
100  ロック体
101  ロック穴
102  鍵穴
103  接続穴
104  窪み部
108  底面
110  スイッチ
111  シリンダー
122  ロック体側面
300  チェーンベルトセット
309  チェーンベルト
310  第１のチェーンロッド
311  第１のチェーンベルトの第１の端部
312  第１のチェーンベルトの第２の端部
319  第１のチェーンベルト
320  第２のチェーンロッド
321  第２のチェーンベルトの第１の端部
322  第２のチェーンベルトの第２の端部
323  位置決め穴
329  第２のチェーンベルト
333  チェーンベルト接続素子
390  チェーンロッド
391  チェーンベルトセットの一端
392  チェーンベルトセットのもう一端
401  軸線
600  鍵
900  チェーンロック
W310  第１のチェーンロッド幅
W320  第２のチェーンロッド幅
W390  チェーンロッド幅
W401  軸線距離
【図１Ａ】
0003225572.tif 000003
【図１Ｂ】
0003225572.tif 000004
【図２Ａ】
0003225572.tif 000005
【図２Ｂ】
0003225572.tif 000006
【図３Ａ】
0003225572.tif 000007
【図３Ｂ】
0003225572.tif 000008
【図４Ａ】
0003225572.tif 000009
【図４Ｂ】
0003225572.tif 000010
【手続補正書】
【提出日】令和2年1月6日(2020.1.6)
【手続補正１】
【補正対象書類名】実用新案登録請求の範囲
【補正対象項目名】全文
【補正方法】変更
【補正の内容】
【実用新案登録請求の範囲】
【請求項１】
一種のチェーンロックであって、ロック体内部に設置されたシリンダーと、ロック体側面と、ロック穴と、を有するロック体と、複数の文字列結合された第１のチェーンロッドを備え、両端部に第１のチェーンベルトの第１の端部と、第１のチェーンベルトの第２の端部と、を有し、前記第１のチェーンベルトの第１の端部と前記ロック体が結合する第１のチェーンベルトと、複数の文字列結合された第２のチェーンロッドを備え、両端に第２のチェーンベルトの第１の端部と第２のチェーンベルトの第２の端部とを有し、前記第２のチェーンベルトの第１の端部と前記第１のチェーンベルトの第２の端部は結合して、前記第２のチェーンベルトの第２の端部は前記ロック穴に挿入可能で、且つ前記シリンダーによってさらに強固にロック可能な第２のチェーンベルトをと、を有するチェーンベルトセットと、を有し、第２のチェーンベルトの第２の端部がロックされていない時、前記第１のチェーンベルト折り畳むことで前記複数の第１のチェーンロッドを相互に重ね合わせることができ、前記第２のチェーンベルトは折り畳むことにより前記複数の第２のチェーンロッドを重ね合わせることができ、且つ折り畳んだ後の前記第１のチェーンベルトと前記第２のチェーンベルトは互いに寄せ合わせて、前記ロック体側面の外に配置することできることを特徴とする、チェーンロック。
【請求項２】
請求項１に記載のチェーンロックであって、チェーンベルト接続素子をさらに有し、前記チェーンベルト接続素子の相反する両端はそれぞれ前記第１のチェーンベルトの第２の端部及び前記第２のチェーンベルトの第１の端部と結合することを特徴とする、チェーンロック。
【請求項３】
請求項１に記載のチェーンロックであって、前記第１のチェーンベルトの第１の端部は前記ロック体の一端部に結合することと、前記ロック穴が前記ロック体のもう一端部に設置され、且つ前記ロック体側面の外に位置することを特徴とする、チェーンロック。
【請求項４】
請求項１に記載のチェーンロックであって、前記ロック体の両端部の間に軸線距離を有し、前記第１のチェーンロッドと前記第２のチェーンロッドはそれぞれ第１のチェーンロッド幅と第２のチェーンロッド幅を有し、前記軸線距離は前記第１のチェーンロッド幅と前記第２のチェーンロッド幅の総和に等しいことを特徴とする、チェーンロック。
【請求項５】
請求項１に記載のチェーンロックであって、第２のチェーンベルトの第２の端部がロックされておらず、且つ前記第１のチェーンベルトと前記第２のチェーンベルトが寄せ合わせられている時に、前記第１のチェーンロッドと前記第２のチェーンロッドはそれぞれ前記ロック体両端部を通過するように伸びる軸線と垂直であることを特徴とする、チェーンロック。
【請求項６】
一種のチェーンロックであって、前記ロック体内部に設置されたシリンダーと、ロック体側面と、ロック穴と、を有するロック体と、複数本の文字列結合されたチェーンベルトを備え、それぞれのチェーンベルトは複数の文字列結合されたチェーンロッドを有し、前記チェーンベルトセットの一端と前記ロック体が互いに結合し、前記チェーンベルトセットのもう一端は前記ロック穴に挿入可能で、且つ前記シリンダーによってさらに強固なロックが可能なチェーンベルトセットと、を有し、前記チェーンベルトセットのもう一端がロックされていない時に、それぞれのチェーンベルトは折り畳むことによってそれぞれが有する前記複数のチェーンロッドを重ね合わせることができ、且つ折り畳んだ後の隣り合う前記複数のチェーンベルトは互いに寄せ合わせて、前記ロック体側面の外に配置することできることを特徴とする、チェーンロック。
【請求項７】
請求項6に記載のチェーンロックであって、さらにチェーンベルト接続素子を少なくとも一つ有し、前記複数本のチェーンベルトは前記チェーンベルト接続素子を通して文字列結合することを特徴とする、チェーンロック。
【請求項８】
請求項6に記載のチェーンロックであって、前記ロック穴は前記ロック体の底面に設置され、前記チェーンベルトセットの一端は前記底面における前記ロック穴とは異なる位置に結合することを特徴とする、チェーンロック。
【請求項９】
請求項6に記載のチェーンロックであって、前記ロック体の両端部の間に軸線距離を有し、各チェーンベルトのチェーンロッドはそれぞれチェーンロッド幅を有し、前記軸線距離は前記複数のチェーンロッド幅の総和に等しいことを特徴とする、チェーンロック。
【請求項１０】
請求項6に記載のチェーンロックであって、前記チェーンベルトセットのもう一端がロックされておらず、且つ隣り合う前記チェーンベルトが寄せ合わせられている時に、各チェーンベルトのチェーンロッドはそれぞれ前記ロック体両端部を通過するように伸びる軸線と垂直であることを特徴とする、チェーンロック。